(57)【要約】【課題】ＰＣを用いなくても電子情報の管理を効果的に実現することができる情報管理装置及びウェブログ管理装置を提供することを目的とする。【解決手段】ネットワークを介して接続されたデータベース２３０に格納される情報を管理する情報管理装置１０であって、前記データベース２３０に登録する画像情報を含む原稿用紙を画像として読み取る読取手段１２と、前記読取手段１２により読み取られた画像から、前記画像情報を抽出する画像情報抽出手段１１０と、前記画像情報抽出手段１１０により抽出された画像情報を前記データベースに登録する情報登録手段１３０とを有することを特徴とする情報管理装置１０。【選択図】図４
2008234219.tif 000002
【特許請求の範囲】
【請求項１】
ネットワークを介して接続されたデータベースに格納される情報を管理する情報管理装置であって、
前記データベースに登録する画像情報を含む原稿用紙を画像として読み取る読取手段と、
前記読取手段により読み取られた画像から、前記画像情報を抽出する画像情報抽出手段と、
前記画像情報抽出手段により抽出された画像情報を前記データベースに登録する情報登録手段と、
を有することを特徴とする情報管理装置。
【請求項２】
前記データベースに格納される情報の管理に必要な識別情報を保持する識別情報保持手段を有し、
前記情報登録手段は、前記識別情報保持手段により保持される識別情報を用いて前記データベースへアクセスし、前記画像情報を前記データベースに登録することを特徴とする請求項１に記載の情報管理装置。
【請求項３】
前記識別情報保持手段により保持される識別情報は、当該情報管理装置の装置固有の機器識別情報であることを特徴とする請求項２に記載の情報管理装置。
【請求項４】
前記識別情報保持手段により保持される識別情報は、当該情報管理装置の装置固有の機器識別情報にさらに識別符号を付与して生成される複数の識別情報であることを特徴とする請求項２に記載の情報管理装置。
【請求項５】
前記原稿用紙は、さらに、前記データベースにおける情報の格納位置を特定する位置特定情報を含んでおり、
前記画像情報抽出手段は、さらに、前記読取手段により読み取られた画像から前記位置特定情報を抽出し、
前記情報登録手段は、前記データベースにおいて該位置特定情報で特定される位置に前記画像情報を登録することを特徴とする請求項１乃至４のいずれか一項に記載の情報管理装置。
【請求項６】
前記データベースへの情報の登録指示を入力する入力手段を有し、
前記入力手段により該登録指示が入力されると、前記読取手段は原稿用紙の読み取りを開始し、前記画像情報抽出手段は読み取られた画像から画像情報を抽出し、前記情報登録手段は該画像情報を前記データベースへ登録することを特徴とする請求項１乃至５のいずれか一項に記載の情報管理装置。
【請求項７】
ネットワークを介して接続されたデータベースに格納されるウェブログデータを管理するウェブログデータ管理装置であって、
前記データベースに登録するウェブログデータを含む原稿用紙を画像として読み取る読取手段と、
前記読取手段により読み取られた画像から、前記ウェブログデータを抽出するウェブログデータ抽出手段と、
前記ウェブログデータ抽出手段により抽出されたウェブログデータを前記データベースに登録するウェブログデータ登録手段と、
を有することを特徴とするウェブログデータ管理装置。
【請求項８】
前記データベースに格納されるウェブログデータの管理に必要な識別情報を保持する識別情報保持手段を有し、
前記ウェブログデータ登録手段は、前記識別情報保持手段により保持された識別情報を用いて前記データベースへアクセスし、前記ウェブログデータを前記データベースに登録することを特徴とする請求項７に記載のウェブログデータ管理装置。
【請求項９】
前記識別情報保持手段により保持される識別情報は、当該ウェブログデータ管理装置の装置固有の機器識別情報であることを特徴とする請求項８に記載のウェブログデータ管理装置。
【請求項１０】
前記識別情報保持手段により保持される識別情報は、当該ウェブログデータ管理装置の装置固有の機器識別情報にさらに識別符号を付与して生成される複数の識別情報であることを特徴とする請求項８に記載のウェブログデータ管理装置。
【請求項１１】
前記原稿用紙は、さらに、前記データベースにおけるウェブログデータの格納位置を特定する位置特定情報を含んでおり、
前記ウェブログデータ抽出手段は、さらに、前記読取手段により読み取られた画像から前記位置特定情報を抽出し、
前記ウェブログデータ登録手段は、前記データベースにおいて該位置特定情報で特定される位置に前記ウェブログデータを登録することを特徴とする請求項７乃至１０のいずれか一項に記載のウェブログデータ管理装置。
【請求項１２】
前記データベースへのウェブログデータの登録指示を入力する入力手段を有し、
前記入力手段により該登録指示が入力されると、前記読取手段は原稿用紙の読み取りを開始し、前記ウェブログデータ抽出手段はウェブログデータを抽出し、前記ウェブログデータ登録手段は該ウェブログデータを前記データベースへ登録することを特徴とする請求項７乃至１１のいずれか一項に記載のウェブログデータ管理装置。
【請求項１３】
前記データベースに格納されるウェブログデータの内のコメント及び／又はトラックバックが付与されたウェブログデータを取得するウェブログデータ取得手段と、
前記ウェブログデータ取得手段により取得された前記コメント及び／又はトラックバックが付与されたウェブログデータを出力する出力手段と、
を有することを特徴とする請求項７乃至１２のいずれか一項に記載のウェブログデータ管理装置。
【請求項１４】
前記データベースに格納されるウェブログデータの内の取得すべき第３者のウェブログデータを選択するウェブログデータ選択手段を有し、
前記ウェブログデータ取得手段は、さらに、前記ウェブログデータ選択手段により選択された前記取得すべき第３者のウェブログデータを取得することを特徴とする請求項１３に記載のウェブログデータ管理装置。
【請求項１５】
前記出力手段は、前記データベースに登録するウェブログデータの記入欄及び／又は前記位置特定情報を付与して印刷出力することにより当該ウェブログデータ管理装置で用いられる前記原稿用紙を生成することを特徴とする請求項１３又は１４に記載のウェブログデータ管理装置。
【発明の詳細な説明】
【技術分野】
【０００１】
本発明は、情報管理装置及びウェブログデータ管理装置に関する。
【背景技術】
【０００２】
近年、インターネット上に個人の日記を載せた、ウェブログ（以降ブログとする）と総称されるＷｅｂサイトを用いた情報発信・情報交換の形態が盛んになっている。これは個人又は数人のグループの日記をインターネット上に公開したものである。公開された日記の内容に対して同じ興味、関心をもつユーザからのコメント機能、他のサイトの記事との連携機能であるトラックバック（日記の内容によって派生的に記述されたブログ・日記）機能等を有しており、インターネットを介して世界に発信できることから、人と人の結びつきが得られたり、またブログによって個人の知識、興味、関心が開示されることからそのユーザに対して他者から有益な情報がよせられたり、ブログに書かれた個人の意見が広く世の中に取り上げられたりといった影響力も持ち始めている。
【０００３】
しかしながら、ブログはインターネット上で実現されるものであり、パソコン等のインターネットへの接続機器と、ブログとしての電子情報の記述を必要とする。そのため、パソコン等のスキルのないユーザにとってはこれらの情報発信や情報を介した人との結びつきを享受できなかった。また、パソコン等のスキルはあるが、例えば家庭において育児や介護でまとまった時間をとれないユーザ、仕事においてはパソコンを利用するが家庭においては使いたくないユーザ等にとっても、情報発信する機会が失われていた。
【０００４】
また、ブログは電子情報で表現されるため、日記上での画像及びフォントの工夫には限度がある。即ち、手書きによる絵や文字のような個人毎の違いを表現できず、他のブログと識別しにくい、注目されないという問題もあった。
【０００５】
このようなことから、従来、ブログ等で用いられる電子情報と、紙に記載された手書きによる絵、文字等の情報との連携を計るシステムに係る種々の発明がなされている。
【０００６】
特許文献１には、ブログに画像とコメントを入れることにより個人のアルバムとしてブログを簡単に作れるようにした技術が開示されている。これにより、ユーザは日々日記をつける感覚でウェブサーバに画像、コメントを自由な形でアップロードすることができる。
【特許文献１】特開２００５―８４９０１号公報
【発明の開示】
【発明が解決しようとする課題】
【０００７】
しかしながら、従来技術および特許文献１に開示された発明では、基本的にパソコンを操作することが必要であった。そのため、ＰＣを使えないユーザ等にとっては例えば紙に記載された情報を電子情報として管理したくても容易に管理できないという問題があった。
【０００８】
本発明は、上記の点に鑑みて、この問題を解決するために発明されたものであり、ＰＣを用いなくても電子情報の管理を効果的に実現することができる情報管理装置及びウェブログ管理装置を提供することを目的とする。
【課題を解決するための手段】
【０００９】
上記の目的を達成するために、本発明の情報管理装置は、ネットワークを介して接続されたデータベースに格納される情報を管理する情報管理装置であって、前記データベースに登録する画像情報を含む原稿用紙を画像として読み取る読取手段と、前記読取手段により読み取られた画像から、前記画像情報を抽出する画像情報抽出手段と、前記画像情報抽出手段により抽出された画像情報を前記データベースに登録する情報登録手段とを有するように構成することができる。
【００１０】
また、上記の目的を達成するために、本発明の情報管理装置は、前記データベースに格納される情報の管理に必要な識別情報を保持する識別情報保持手段を有し、前記情報登録手段は、前記識別情報保持手段により保持された識別情報を用いて前記データベースへアクセスし、前記画像情報を前記データベースに登録するように構成することができる。
【００１１】
また、上記の目的を達成するために、本発明の前記識別情報保持手段により保持される識別情報は、当該情報管理装置の装置固有の機器識別情報であるように構成することができる。
【００１２】
また、上記の目的を達成するために、本発明の前記識別情報保持手段により保持される識別情報は、当該情報管理装置の装置固有の機器識別情報にさらに識別符号を付与して生成される複数の識別情報であるように構成することができる。
【００１３】
また、上記の目的を達成するために、本発明の情報管理装置では、前記原稿用紙は、さらに、前記データベースにおける情報の格納位置を特定する位置特定情報を含んでおり、前記画像情報抽出手段は、さらに、前記読取手段により読み取られた画像から前記位置特定情報を抽出し、前記情報登録手段は、前記データベースにおいて該位置特定情報で特定される位置に前記画像情報を登録するように構成することができる。
【００１４】
また、上記の目的を達成するために、本発明の情報管理装置は、前記データベースへの情報の登録指示を入力する入力手段を有し、前記入力手段により該登録指示が入力されると、前記読取手段は原稿用紙の読み取りを開始し、前記画像情報抽出手段は読み取られた画像情報を抽出し、前記情報登録手段は該画像情報を前記データベースへ登録するように構成することができる。
【００１５】
また、上記の目的を達成するために、本発明のウェブログデータ管理装置は、ネットワークを介して接続されたデータベースに格納されるウェブログデータを管理するウェブログデータ管理装置であって、前記データベースに登録するウェブログデータを含む原稿用紙を画像として読み取る読取手段と、前記読取手段により読み取られた画像から、前記ウェブログデータを抽出するウェブログデータ抽出手段と、前記ウェブログデータ抽出手段により抽出されたウェブログデータを前記データベースに登録するウェブログデータ登録手段とを有するように構成することができる。
【００１６】
また、上記の目的を達成するために、本発明のウェブログデータ管理装置は、前記データベースに格納されるウェブログデータの管理に必要な識別情報を保持する識別情報保持手段を有し、前記ウェブログデータ登録手段は、前記識別情報保持手段により保持された識別情報を用いて前記データベースへアクセスし、前記ウェブログデータを前記データベースに登録するように構成することができる。
【００１７】
また、上記の目的を達成するために、本発明の前記識別情報保持手段により保持される識別情報は、当該ウェブログデータ管理装置の装置固有の機器識別情報であるように構成することができる。
【００１８】
また、上記の目的を達成するために、本発明の前記識別情報保持手段により保持される識別情報は、当該ウェブログデータ管理装置の装置固有の機器識別情報にさらに識別符号を付与して生成される複数の識別情報であるように構成することができる。
【００１９】
また、上記の目的を達成するために、本発明の前記原稿用紙は、さらに、前記データベースにおけるウェブログデータの格納位置を特定する位置特定情報を含んでおり、前記ウェブログデータ抽出手段は、さらに、前記読取手段により読み取られた画像から前記位置特定情報を抽出し、前記ウェブログデータ登録手段は、前記データベースにおいて該位置特定情報で特定される位置に前記ウェブログデータを登録するように構成することができる。
【００２０】
また、上記の目的を達成するために、本発明の前記データベースへのウェブログデータの登録指示を入力する入力手段を有し、前記入力手段により該登録指示が入力されると、前記読取手段は原稿用紙の読み取りを開始し、前記ウェブログデータ抽出手段はウェブログデータを抽出し、前記ウェブログデータ登録手段は該ウェブログデータを前記データベースへ登録するように構成することができる。
【００２１】
また、上記の目的を達成するために、本発明の前記データベースに格納されるウェブログデータの内のコメント又はトラックバックが付与されたウェブログデータを取得するブログデータ取得手段と、前記ウェブログデータ取得手段により取得された前記コメント又はトラックバックが付与されたウェブログデータを出力する出力手段とを有するように構成することができる。
【００２２】
また、上記の目的を達成するために、本発明の前記データベースに格納されるウェブログデータの内の取得したい第３者のウェブログデータを選択するウェブログデータ選択手段を有し、前記ウェブログデータ取得手段は、さらに、前記ウェブログデータ選択手段により選択された前記取得したい第３者のウェブログデータを取得するように構成することができる。
【００２３】
また、上記の目的を達成するために、本発明の前記出力手段は、前記データベースに登録するウェブログデータの記入欄及び／又は前記位置特定情報を付与して印刷出力することにより当該ウェブログデータ管理装置で用いられる前記原稿用紙を生成するように構成することができる。
【発明の効果】
【００２４】
本発明によれば、ＰＣを用いなくても電子情報の管理を効果的に実現することができる情報管理装置及びウェブログ管理装置を提供することができる。
【発明を実施するための最良の形態】
【００２５】
以下、本発明の実施の形態について図面を参照して説明していく。なお、本実施の形態では情報管理装置の一例として複合機（ＭＦＰ（Ｍｕｌｔｉ  Ｆｕｎｃｔｉｏｎａｌ  Ｐｒｉｎｔｅｒ））を例に説明するが、複合機に限定するものではない。
【００２６】
（情報管理システム）
図１は、本発明の実施の形態に係る情報管理システムの一例を示す模式図である。図１において、情報管理システム１は、情報管理装置１０、サーバ装置２０を有する構成である。
【００２７】
情報管理装置１０は、後述の入力部１１、読取部１２、表示部（操作部）１３、印刷出力部１４、通信部１５を備えた装置である。例えばＭＦＰ（Ｍｕｌｔｉ  Ｆｕｎｃｔｉｏｎ  Ｐｒｉｎｔｅｒ）等である。サーバ装置２０は、情報管理装置１０で生成された電子情報などを管理する装置である。例えば、ブログデータを管理するブログサーバである。
【００２８】
入力部１１は、ユーザが各種指示の入力を行うための入力ボタンなどである。
【００２９】
図２に入力部１１の例を示している。図２（ａ）はサーバ装置２０への情報の登録（投稿）指示を行うための投稿ボタンである。図２（ｂ）はサーバ装置２０に管理される情報の印刷出力指示を行うための印刷ボタンである。図２（ｃ）はサーバ装置２０への情報の登録に当たりユーザ（著者）を選択するためのユーザ選択ボタンである。これにより一の情報管理装置１０を用いて複数のユーザの情報を管理することができる。図２（ｄ）は、サーバ装置２０に管理される情報から取得すべき情報を選択するための矢印ボタンである。これにより、サーバ装置２０に管理される情報から取得すべき情報を選択する。図２の入力部１１の各々については詳細には後述する。
【００３０】
読取部１２は、例えばスキャナなどであり原稿用紙に記載された情報を画像として読み取る。表示部１３は、例えばディスプレイなどであり表示を行う。なお、タッチパネルディスプレイのようにユーザが当該情報管理装置１０の操作を行うための操作部としての機能を兼ね備えていてもよい。
【００３１】
印刷出力部１４は、例えばプリンタなどであり印刷出力を行う。通信部１５は、インターネットなどのネットワークを介して接続されたサーバ装置２０或いは直接接続された外部装置などとの間で通信を行う。
【００３２】
以上に示される構成により、情報管理システム１では、情報管理装置１０の読取部１２により画像として読み取られた原稿用紙に記載された情報などは、サーバ装置２０により管理される。また、情報管理装置１０の表示部１３（或いは印刷出力部１４）はサーバ装置２０により管理される情報を表示する（或いは印刷出力する）。
【００３３】
なお、情報管理装置１０は、読取部１２により読み取られた画像を印刷出力部１４により出力する等の一般的な複合機（ＭＦＰ）としての機能やＦＡＸ機能などをもっていてもよい。また、サーバ装置２０は、図示しない複数の情報管理装置１０或いは一般的なクライアント装置であるＰＣ等ともネットワークを介して接続されていてよい。
【００３４】
（ハードウェア構成）
図３（ａ）は、本実施の形態に係る情報管理装置のハードウェア構成の一例を示す図である。図３（ａ）において、情報管理装置１０は、入力部１１、読取部１２、表示部１３、出力部（印刷出力部）１４、通信部１５、制御部１６を有する構成である。さらに、制御部１６は、ＲＯＭ（Ｒｅａｄ  Ｏｎｌｙ  Ｍｅｍｏｒｙ）３１、ＲＡＭ（Ｒａｎｄｏｍ  Ａｃｃｅｓｓ  Ｍｅｍｏｒｙ）３２、ＮＶ（Ｎｏｎ  Ｖｏｌａｔｉｌｅ）―ＲＡＭ３３、ＣＰＵ（Ｃｅｎｔｒａｌ  Ｐｒｏｅｓｓｉｎｇ  Ｕｎｉｔ）３４により構成される。
【００３５】
入力部１１〜通信部１５については前述したので、ここでは制御部１６について説明を行う。制御部１６は、入力部１１、読取部１２、表示部１３、出力部１４、通信部１５の制御を行う。ＲＯＭ３１は、情報管理装置１０のソフトウェアなどを記憶するための記憶装置である。ＲＡＭ３２は、ＲＯＭ３１に記憶された情報管理装置１０のソフトウェアなどを一時記憶するための記憶装置である。ＮＶ−ＲＡＭ３３は、情報管理装置１０の設定情報などを記憶するための記憶装置である。ＣＰＵ３４は、ＲＡＭ３２に記憶された情報管理装置１０のソフトウェアなどを処理するための中央演算処理装置である。
【００３６】
図３（ｂ）は、本実施の形態に係るサーバ装置のハードウェア構成の一例を示す図である。図３（ｂ）において、サーバ装置２０は、通信部２１、制御部２２、データベース２３を有する構成である。さらに、制御部２２は、ＲＯＭ４１、ＲＡＭ４２、ＮＶ―ＲＡＭ４３、ＣＰＵ４４により構成される。
【００３７】
通信部２１は、インターネットなどのネットワークを介して接続された情報管理装置１０或いは直接接続された外部装置との間で通信を行う。制御部２２は、通信部２１を含めた当該サーバ装置２０の制御を行う。ＲＯＭ４１は、サーバ装置２０のソフトウェアなどを記憶するための記憶装置である。ＲＡＭ４２は、ＲＯＭ４１に記憶されたサーバ装置２０のソフトウェアなどを一時記憶するための記憶装置である。ＮＶ−ＲＡＭ４３は、サーバ装置２０の設定情報などを記憶するための記憶装置である。ＣＰＵ４４は、ＲＡＭ４２に記憶されたサーバ装置２０のソフトウェアなどを処理するための中央演算処理装置である。
【００３８】
データベース２３は、各種情報を記憶する。例えば情報管理装置１０から通信部２１を介して受信した情報を記憶する。
【００３９】
（機能の構成）
図４（ａ）は、本実施の形態に係る情報管理装置の機能の構成の第一の例を示す図である。図４（ａ）に示す処理ブロック図は図３（ａ）に示す構成の情報管理装置１０上で実現される。
【００４０】
図４（ａ）において、情報管理装置１０は、画像情報抽出手段（ブログデータ抽出手段）１１０、識別情報保持手段（製品固有識別情報保持手段）１２０、管理情報登録手段（ブログデータ登録手段）１３０等を有する構成である。
【００４１】
画像情報抽出手段１１０は、例えば読取部１０により読み取られた画像にＯＣＲ（Ｏｐｔｉｃａｌ  Ｃｈａｒａｃｔｅｒ  Ｒｅｃｏｇｎｉｔｉｏｎ）、領域抽出等の画像処理を施すことにより該画像から各種の画像情報を抽出する。例えば、読み取られた画像がサーバ装置２０に登録する画像情報を含むとき、該画像情報を抽出する。特にサーバ装置２０がブログサーバである場合には、登録（投稿）するブログの内容（本文情報）、登録するブログのタイトル（タイトル情報）、登録するブログの作成日付（日付情報）、登録するブログのサイト（サイト情報）などのブログデータを抽出する。
【００４２】
識別情報保持手段１２０は、例えばサーバ装置２０に情報を登録する際に必要とされる識別情報を保持する。特にサーバ装置２０がブログサーバである場合には、ブログのユーザ（著者）を識別する情報を保持する。これはブログサーバにアクセスし、自身のブログデータを管理するための認証情報である。例えば装置固有の機器識別情報（装置固有番号）を用いる。例えば装置固有の機器識別情報が「Ｋ４０１２」である場合、ユーザを識別する情報は「Ｋ４０１２」とする。
【００４３】
なお、このように装置固有の機器識別情報を用いることにより、ユーザは別途にパスワードなどの識別情報（認証情報）を入力することなく、ブログサーバに格納されたブログデータを管理することができる。また、他者のなりすましにより自身のブログデータを操作されることを防ぐことにより安全性を高めることもできる。さらには、装置固有の機器識別情報からユーザ名を識別することはできないため、匿名性の確保が望まれる場合にはこれを実現する。なお、匿名性の確保が望まれない場合には、識別情報としてユーザ名を保持してもよいし、例えば原稿用紙にユーザ名を記入し、画像情報抽出手段１１０が、記入されたユーザ名をＯＣＲ等の画像処理を施すことにより抽出するようにしてもよい。
【００４４】
さらには、識別情報保持手段１２０により保持される識別情報は、上記の装置固有の機器識別情報にさらに識別符号を付与して生成される複数の識別情報であってもよい。例えば、装置固有の機器識別情報が「Ｋ４０１２」である場合、図２（ｃ）の番号のボタンの番号「３」が押下されると「３」を識別符号として付与してユーザを識別する情報は「Ｋ４０１２―３」とする。これにより、複数のユーザの中から一人を指定することができるため、一台の本装置を複数の人(例えば家族など)で使うことができ、それぞれ別の管理情報を作成することができる。即ち、複数のユーザの中から一人を指定する著者指定手段としての機能を有する。なお、図２（ｃ）の番号のボタンの押下によりユーザは判断されるが、この場合に限らない。例えば、切り替え型スイッチでもかまわない。また、図２（ａ）の投稿ボタンをユーザ毎に複数用意してもよい。
【００４５】
管理情報登録手段（ブログデータ登録手段）１３０は、例えば識別情報保持手段１２０により保持される識別情報を用いてサーバ装置２０にアクセスし、画像情報抽出手段１１０により抽出された画像情報をサーバ装置２０に登録する。特にサーバ装置２０がブログサーバである場合には、画像情報抽出手段１１０により抽出されたブログデータに基づいてディレクトリの情報を作成し、通信部１５によるサーバ装置２０との通信によりサーバ装置２０に登録する。なお、ディレクトリ情報の形式はサーバ装置２０の管理するデータ構成に依存するのでデータ構成に従って作成する方法を変更する。
【００４６】
図４（ｂ）は、本実施の形態に係るサーバ装置の機能の構成の一例を示す図である。図４（ｂ）に示す処理ブロック図は図３（ｂ）に示す構成のサーバ装置２０上で実現される。
【００４７】
図４（ｂ）において、サーバ装置２０は、認証手段２１０、記憶制御手段２２０、記憶手段２３０を有する構成である。
【００４８】
認証手段２１０は、認証を行う。例えば情報管理装置１０から通信部２１を介して受信した識別情報に基づき、後述の記憶手段２３０に記憶された情報の管理に係る認証を行う。特にサーバ装置２０がブログサーバである場合には、情報管理装置１０から受信したユーザの識別情報に基づき、後述の記憶手段２３０に記憶されたブログデータの内の該識別情報で管理が許可されたブログデータの管理に係る認証を行う。これにより、ユーザは自身のブログデータの更新を行ったり、他のユーザのブログデータにコメント或いはトラックバックなどを付与したりすることができる。
【００４９】
記憶制御手段２２０は、後述の記憶手段２３０により記憶された情報の制御を行う。特にサーバ装置２０がブログサーバである場合には、情報管理装置１０から受信したディレクトリ情報（即ち、管理情報登録手段１３０により作成されたディレクトリ情報）を後述の記憶手段２３０に記憶する。これにより、ユーザは自身のブログデータの更新を行ったり、他のユーザのブログデータにコメント或いはトラックバックなどを付与したりする。
【００５０】
記憶手段２３０は、例えばデータベース２３であり情報管理装置１０から受信したブログデータなどの情報を記憶する。
【００５１】
以降、本実施の形態に係る情報管理システムを用いた各種動作について説明を行うが、特に断らない限り、各種の動作において扱う情報は、サーバ装置２０に管理された管理情報のうち、当該情報管理装置１０により管理が許可された情報を扱うものとする。例えば、サーバ装置２０がブログサーバである場合には、各種の動作において扱う情報は当該情報管理装置１０のユーザにより管理が許可されたブログデータである。
【００５２】
（情報の登録の第一の例）
図５は本実施の形態に係る情報の登録処理を表した第一の例のフローチャートである。
【００５３】
ここでは、図１の情報管理装置１０において、入力部１１においてサーバ装置２０への情報の登録指示が入力されると（例えば、図２（ａ）の投稿ボタンの押下）、該登録指示に従って読取部１２により原稿用紙の読み取りを開始する。さらに、読み取られた原稿用紙に記載された情報はサーバ装置２０に登録される。なお、サーバ装置２０がブログサーバである場合を例にとって説明を行うがこの場合に限らない。
【００５４】
まず、入力部１１は、投稿ボタンの押下を入力する（Ｓ１１）。ここではユーザによる投稿ボタンの押下を入力する。ステップＳ１２へ移って、読取部１２は、原稿用紙を画像として読み取る（Ｓ１２）。原稿用紙は、例えば図６で示される。
【００５５】
図６で示す原稿用紙には、ブログのサイトに係る情報を記載する欄Ａ、ブログの作成日付を記載する欄Ｂ、ブログのタイトルを記載する欄Ｃ及びブログの本文を記載する欄Ｄが用紙フォーマットとして設けられている。なお、これらブログに係るデータを総称してブログデータと呼ぶことにする。またブログのサイト情報（欄Ａ）、日付情報（欄Ｂ）は、データベース４５におけるデータの格納位置を特定する位置特定情報であるため以降ブログ特定情報と総称する。また、ブログのタイトル情報（欄Ｃ）、本文情報（欄Ｄ）は、ブログのコンテンツに係る情報であるため以降ブログコンテンツ情報と総称する。
【００５６】
ステップＳ１３へ移って、読み取りが成功した場合（Ｓ１３、ＹＥＳ）、つまりステップＳ１２の読み取り処理が成功した場合、ステップＳ１４に移る。読み取りが失敗した場合（Ｓ１３、ＮＯ）、つまり原稿用紙がない、又は取り込めないなどによりステップＳ１２の読み取り処理が失敗した場合、ステップＳ２１に移る。
【００５７】
ステップＳ１４へ移った場合、画像情報抽出手段１１０は、ステップＳ１２で読み取られた画像から画像情報を抽出する（Ｓ１４）。画像情報とは、ここではブログデータ（日付情報、タイトル情報、本文情報、サイト情報）であり、予め情報管理装置１０により保持された図７のような表を用いて抽出する。
【００５８】
図７は、図６の原稿用紙上の抽出範囲、画像の種類、ブログデータの種類の対応表である。即ち、紙ブログ用紙上のどの部分（抽出範囲）にどの情報（画像の種類）が記載されていて、それがブログにおけるどの情報（ブログデータの種類）に該当するかを対応づけて記述したものである。
【００５９】
例えば、図５の１行目を参照すると、抽出範囲、画像の種類、ブログデータの種類は、それぞれ（Ｘ：１０−２０Ｙ：０―２）、２次元バーコード、ブログサイトと記述されている。これは、図４の紙ブログ用紙においてＸＹ軸の抽出範囲（Ｘ（横軸）：１０ｃｍ〜２０ｃｍ、Ｙ（縦軸）：０ｃｍ〜２ｃｍ）に含まれる画像の種類は、２次元バーコードとして認識され、該２次元バーコードはブログサイトに係る情報に該当することを示している。このとき、２次元バーコードを認識するプログラムが、抽出範囲で抽出された情報に対して起動し、情報を抽出する。抽出された情報は、ブログサイトの情報として情報管理装置１０の図示しない記憶部に記憶される。
【００６０】
ステップＳ１５へ移って、画像情報抽出が成功した場合（Ｓ１５、ＹＥＳ）、つまりステップＳ１４のる画像情報抽出処理が成功した場合、ステップＳ１６に移る。画像情報抽出が失敗した場合（Ｓ１５、ＮＯ）、つまりステップＳ１４の画像情報抽出処理が失敗した場合、ステップＳ２１に移る。
【００６１】
ステップＳ１６へ移った場合、制御部１６は、識別情報保持部１２０により保持された識別情報を取得する（Ｓ１６）。ここでは、製品に組み込まれた装置固有の機器識別情報（装置固有番号）をブログのユーザ名として取得する。
【００６２】
ステップＳ１７へ移って、管理情報登録手段１３０は、サーバ装置２０の記憶手段２３０に登録するためのフォーマットの登録情報を作成する（Ｓ１７）。ここでは、ステップＳ１４で抽出したブログデータ及びステップＳ１６で抽出したユーザ名に基づいてサーバ装置２０が管理するデータ構成に依存したディレクトリ情報を作成する。
【００６３】
ステップＳ１８へ移って、通信部１５は、サーバ装置２０にステップＳ１７で作成した登録情報を送信する（Ｓ１８）。ここでは、ステップＳ１７で作成したディレクトリ情報をサーバ装置２０に送信する、即ちブログサイトにブログを投稿する。
【００６４】
ステップＳ１９へ移って、送信処理が成功した場合（Ｓ１９、ＹＥＳ）、つまりステップＳ１８の送信処理が成功した場合、投稿できた旨を画面表示し（Ｓ２０）、処理を終了する。送信処理が失敗した場合（Ｓ１９、ＮＯ）、つまりネットワーク障害などによりステップＳ１８の送信処理が失敗した場合、ステップＳ２１へ移る。
【００６５】
ステップＳ２１へ移った場合、表示部１３は、例えばエラー内容に応じたエラーを液晶ディスプレイ等に表示し（Ｓ２１）、処理を終了する。
【００６６】
以上で示される処理により、入力部１１においてサーバ装置２０への情報の登録指示が入力されると（例えば、図２（ａ）の投稿ボタンの押下）、該登録指示に従って読取部１２により原稿用紙の読み取りを開始する。さらに、読み取られた原稿用紙に記載された情報はサーバ装置２０に登録される。
【００６７】
これにより以下に掲げる利点を奏する。その利点とは、原稿用紙をトレイ（読取部１２）に載せた後は、投稿ボタンの押下によりサーバ装置２０への情報の登録を行うことができることである。特にサーバ装置２０がブログサーバである場合には、きわめて利便性が高く、容易にブログを作成することができる。
【００６８】
（機能の構成）
図８（ａ）は、本実施の形態に係る情報管理装置の機能の構成の第二の例を示す図である。図８（ａ）に示す処理ブロック図は図３（ａ）に示す構成の情報管理装置１０上で実現される。
【００６９】
図８（ａ）において、管理情報取得手段（コメントデータ取得手段）１４０が設けられている点が前述の機能の構成例（図４（ａ）参照）と異なる。ここでは、管理情報取得手段１４０について説明を行う。
【００７０】
管理情報取得手段１４０は、サーバ装置２０に管理された管理情報を取得する。特にサーバ装置２０がブログサーバである場合には、コメントデータ（或いはトラックバックデータ）などが付与されたブログデータを取得する。なお、取得する情報はこの場合に限らないものとする。
【００７１】
図８（ｂ）は、本実施の形態に係るサーバ装置の機能の構成の第二の例を示す図である。図８（ｂ）に示す処理ブロック図は図３（ｂ）に示す構成のサーバ装置２０上で実現される。
【００７２】
図８（ｂ）で示される機能の構成は、前述の機能の構成例（図４（ｂ）参照）と同様であるのでここでは説明を省略する。
【００７３】
（情報の取得例）
図９は本実施の形態に係る情報の取得処理を表した一例のフローチャートである。
【００７４】
ここでは、図１の情報管理装置１０において、定期的に（所定の時間経過毎に）管理情報取得手段１４０はサーバ装置２０に管理された管理情報を取得する。さらには、取得した管理情報を表示部１３により表示する。なお、サーバ装置２０がブログサーバである場合を例にとって説明を行うがこの場合に限らない。
【００７５】
まず、管理情報取得手段１４０は、所定の時間が経過したか否かを判定する（Ｓ２１）。ここでは例えば５分経過したか否かを判定する。所定の時間が経過したと判定すると（Ｓ２１、ＹＥＳ）、ステップＳ２２へ移る。所定の時間が経過していないと判定すると（Ｓ２１、ＮＯ）、待ち状態になる。これにより、ここでは定期的にブログサーバを見に行く処理を実現する。
【００７６】
ステップＳ２２へ移って、制御部１６は、識別情報保持部１２０により保持された識別情報を取得する（Ｓ２２）。ここでは、製品に組み込まれた装置固有の機器識別情報（装置固有番号）をブログのユーザ名（著者名）として取得する。
【００７７】
ステップＳ２３へ移って、管理情報取得手段１４０は、サーバ装置２０に管理された管理情報を取得する（Ｓ２３）。ここでは、サーバ装置２０の記憶手段２３０に記憶されたブログデータの内のコメントデータなどが付与されたブログデータを、通信部１５を介して取得する。なお、ステップＳ２２で取得した識別情報を用いてサーバ装置２０の記憶手段２３０に記憶された自身のブログデータにアクセスする。
【００７８】
ステップＳ２４へ移って、ステップＳ２３で取得した管理情報に情報（コメントデータなど）が付与されたか否かを判定する（Ｓ２４）。情報が付与されたと判定すると（Ｓ２４、ＹＥＳ）、つまりステップＳ２３で取得した自身のブログデータにコメントがない場合、ステップＳ２５に移る。情報が付与されていないと判定すると（Ｓ２４、ＮＯ）、つまりステップＳ２３で取得した自身のブログデータにコメントがない場合、ステップＳ２１へ戻って再び処理を繰り返す。
【００７９】
ステップＳ２５へ移って、制御部１６は、ステップＳ２３で取得した管理情報に付与された情報（コメントなど）が新規の情報であるか否かを判定する（Ｓ２５）。新規の情報であると判定すると（Ｓ２５、ＹＥＳ）、即ちステップＳ２３で取得した自身のブログデータに新規のコメントなどが付与された場合、ステップＳ２６に移る。新規の情報でないと判定すると（Ｓ２５、ＮＯ）、即ちステップＳ２３で取得した自身のブログデータに新規のコメントなどが付与されていない場合、ステップＳ２１へ戻って再び処理を繰り返す。新規の情報であるか否かの判定は、情報管理装置１０がステップＳ２３の処理を前回行った時間情報を保持し、これと当該ステップＳ２３の処理を行った時間とを比較することにより行うことができる。
【００８０】
ステップＳ２６へ移った場合、表示部１３は、ステップＳ２３で取得した情報を液晶ディスプレイ等に表示し（図１０参照）（Ｓ２６）、ステップＳ２１へ戻って再び処理を繰り返す。なお、図１０の取得情報の表示画面については後述の取得情報の表示例において詳細に説明する。
【００８１】
以上で示される処理により、定期的に（所定の時間経過毎に）管理情報取得手段１４０はサーバ装置２０により管理された管理情報を取得する。さらには、取得した管理情報を表示部１３により表示する。
【００８２】
そのため、以下に掲げる利点を奏する。その利点とは、サーバ装置２０により管理された自身のブログデータなどの管理情報の更新をユーザが容易に提示することができることである。なお、本動作例においては、情報の取得は定期的に（所定の時間経過毎に）行われたがこの場合に限らない。例えば、図示しない情報取得ボタンの押下など明示的にユーザから情報取得の指示を入力されることにより行われてもよい。
【００８３】
（取得情報の表示例）
図１０は取得情報を表示する処理を表した一例のフローチャートである。図１１は取得情報を表示した表示画面の一例である。
【００８４】
ここでは、前述したように図１の情報管理装置１０がサーバ装置２０から取得した該サーバ装置２０により管理された管理情報を表示部１３により表示する処理の一例を説明する。なお、サーバ装置２０がブログサーバである場合を例にとって説明を行うがこの場合に限らない。
【００８５】
まず、表示部１２は、ブログのタイトルを表示する（Ｓ３１）。ここでは、管理情報取得手段１４０により取得された自身のブログデータの内、ブログのタイトル情報（画像）を表示する。図１１では「プールに行ったよ」の画像情報である。
【００８６】
ステップＳ３２へ移って、表示部１２は、ブログの投稿日時を表示する（Ｓ３２）。ここでは、管理情報取得手段１４０により取得された自身のブログデータの内、ブログの日付情報を表示する。図１１では、「２００６／８／３１  １４：２７」のテキスト情報である。
【００８７】
ステップＳ３３へ移って、前述のステップＳ２１〜Ｓ２５の処理により自身のブログデータに付与された新規のコメントデータを取得する（Ｓ３３）。ここでは、付与された新規のコメントデータの数だけ以下に示されるＳ３４〜Ｓ３６の処理を繰り返す。
【００８８】
ステップＳ３４へ移って、制御部１６は、ステップＳ３３で取得したコメントデータがテキストデータであるか否かを判定する（Ｓ３４）。ここでは、一般的なＰＣ等によって投稿されたコメントデータ（テキストデータ）であるか、当該情報管理装置１０を用いて登録されたコメントデータ（画像データ）であるかを判定している。
【００８９】
テキストデータであると判定すると（Ｓ３４、ＹＥＳ）、ステップＳ３５へ移る。テキストデータでないと判定すると（Ｓ３４、ＮＯ）、つまり画像データであると判定すると、ステップＳ３６へ移る。
【００９０】
ステップＳ３５へ移った場合、表示部１３は、ステップＳ３３で取得したコメントデータをテキスト表示する（Ｓ３５）。ここでは、表示装置のディスプレイサイズなどに応じて例えば最初の２０文字のみを、該コメントを付与したユーザ名及びコメントの投稿時刻と共に表示する。図１０では、山田さん「今日は暑かったです・・・」のテキスト情報である。
【００９１】
ステップＳ３６へ移った場合、表示部１３は、ステップＳ３３で取得したコメントデータを画像表示する（Ｓ３６）。ここでは、ステップＳ３３で取得したコメントデータ（画像データ）から切り出した例えば左上隅の所定のサイズの画像を、該コメントデータを付与したユーザ名及びコメントの投稿時刻と共に表示する。図１０では、Ｋ２７９３さん「私も水遊びにでもそで」の画像情報である。所定のサイズとは、例えば横４００ピクセル、縦５０ピクセルなど表示装置のディスプレイサイズなどに応じて決定される値であってよい。
【００９２】
以上で示される処理により、図１の情報管理装置１０がサーバ装置２０から取得した該サーバ装置２０により管理された管理情報を表示部１３により表示する。
【００９３】
そのため、以下に掲げる利点を奏する。その利点とは、ユーザにＰＣを用いた操作などを強いることがなくとも、サーバ装置２０により管理された管理情報を効果的に表示することができることである。さらに、ステップＳ３５又はＳ３６の処理により表示装置のディスプレイサイズなどに応じた情報の表示を行うことができることである。
【００９４】
（取得情報の印刷出力例）
図１２は取得情報を印刷出力する処理を表した一例のフローチャートである。
【００９５】
ここでは、図１の情報管理装置１０において、入力部１１において印刷出力指示が入力されると（例えば、図２（ｂ）の印刷ボタンの押下）、図１の情報管理装置１０がサーバ装置２０から取得した管理情報を出力部１４により印刷出力する処理の一例を説明する。なお、サーバ装置２０がブログサーバである場合を例にとって説明を行うがこの場合に限らない。
【００９６】
まず、入力部１１は、印刷ボタンの押下を入力する（Ｓ４１）。ここではユーザによる印刷ボタンの押下を入力する。ステップＳ４２へ移って、管理情報取得手段１４０は、サーバ装置２０に管理された管理情報を取得する（Ｓ４２）。ここでは、識別情報保持手段１２０により保持された識別情報を用いてサーバ装置２０の記憶手段２３０に記憶された自身のブログデータにアクセスし、自身のブログデータを取得する。
【００９７】
ステップＳ４３へ移って、出力部１４は、ステップＳ４２で取得した情報を印刷出力する（Ｓ４３）。ここでは、通常のＷｅｂブラウザなどでブログデータとして表示されているＨＴＭＬデータを印刷出力する。図１３に印刷出力された用紙の表示例を示す。図１３についての詳細は後述する。
【００９８】
ステップＳ４４へ移って、印刷出力が成功した場合（Ｓ４４、ＹＥＳ）、正常に終了する。印刷出力が失敗した場合（Ｓ４４、ＮＯ）、ステップＳ４５に移って、表示部１３は、エラーを液晶ディスプレイなどに表示し（Ｓ４５）、処理を終了する。
【００９９】
以上で示される処理により、入力部１１において印刷出力指示が入力されると（例えば、図２（ｂ）の印刷ボタンの押下）、図１の情報管理装置１０がサーバ装置２０から取得した管理情報を出力部１４により印刷出力する。
【０１００】
そのため、以下に掲げる利点を奏する。その利点とは、前述した取得情報の表示例では、表示装置のディスプレイサイズなどに応じて情報の一部を表示したが、情報の全部を見たい場合など必要に応じて印刷出力できることである。
【０１０１】
ここで、図１３で示される印刷出力された用紙について詳細に説明する。図１３に示す用紙は、ステップＳ４２で取得したブログデータに加えて、コメント記入欄及びブログデータを識別するための文字列で示されるブログ識別ＩＤが付与されている。つまり、ステップＳ４３において出力部１４は、ブログデータを印刷出力する際にブログデータ（ここではコメント）の記入欄及び該ブログデータを登録する位置を示す位置特定情報を付与して印刷出力している。なお、ブログ識別ＩＤの代わりにＱＲコード（２次元バーコードと同義）又はＵＲＬなどのブログのサイト情報を付与してもよい。
【０１０２】
これにより、生成した原稿用紙のブログデータの記入欄に記入された情報に基づいてブログデータを登録することができる。ブログデータの記入欄がコメントの記入欄である場合には、第３者のコメントを読んだ感想などを簡単に登録することができる。この場合の動作を後述の情報の登録の第二の例において説明する。
【０１０３】
（情報の登録の第二の例）
図１４は本実施の形態に係る情報の登録処理を表した第二の例のフローチャートである。
【０１０４】
ここでは、図１の情報管理装置１０において、入力部１１においてサーバ装置２０への情報の登録指示が入力され（例えば、図２（ａ）の投稿ボタンの押下）、該登録指示に従って読取部１２により図１３の原稿用紙が読み取られているものとする（読み取り動作については図５のステップＳ１１〜Ｓ１３を参照）。
【０１０５】
このとき、読み取られた図１３の原稿用紙に記載された情報、ここではコメントデータ、がサーバ装置２０に登録される動作を説明する。なお、サーバ装置２０がブログサーバである場合を例にとって説明を行うがこの場合に限らない。
【０１０６】
まず、画像情報抽出手段１１０は、読み取られた画像にコメントの記入欄があるか否かを判定（抽出）する。（Ｓ５１）。ここでは、読み取られた画像にブログ識別ＩＤがあるか否かを抽出することにより行う。具体的にはＯＣＲ又はＱＲコードの解析などにより行う。
【０１０７】
ステップＳ５２へ移って、コメントの記入欄がある場合（Ｓ５２、ＹＥＳ）、つまりステップＳ５１の処理でブログ識別ＩＤが存在する場合、ステップＳ５３に移る。コメントの記入欄がない場合（Ｓ５２、ＮＯ）、つまりステップＳ５１の処理でブログ識別ＩＤが存在しないと判別した場合、ここでは処理を終了する。
【０１０８】
ステップＳ５３へ移った場合、画像情報抽出手段１１０は、コメントの記入欄に記載されたコメントデータを抽出する（Ｓ５３）。ここでは、コメント欄に記載されたコメントデータを切り出すことにより画像として抽出する。
【０１０９】
ステップＳ５４へ移って、コメントデータが抽出された場合（Ｓ５４、ＹＥＳ）、ステップＳ５５に移って、図５のステップＳ１６〜Ｓ２０と同様の処理によりコメントデータを登録する（Ｓ５５）。コメントデータが抽出されない場合（Ｓ５４、ＮＯ）、つまり切り出した画像に何も書かれていない等の場合、ステップＳ５６に移って、表示部１３は、エラーを液晶ディスプレイ等に表示し（Ｓ５６）、処理を終了する。
【０１１０】
以上で示される処理により、読み取られた図１３の原稿用紙に記載された情報、ここではコメントデータ、がサーバ装置２０に登録される。
【０１１１】
そのため、以下に掲げる利点を奏する。その利点とは、コメントの記入欄に記載された内容をコメントデータとして登録するので、ＰＣを持っていなくても、表示されたブログに対してきわめて簡単な操作でコメントを付けることができることである。
【０１１２】
なお、本情報の登録の第二の例で示される動作及び前述した取得した情報の印刷出力の例で示される動作の変形例としては、例えば複数の当該情報管理装置１０の間で双方向にリアルタイムに画像ベースの会話を行なうチャット機能を実現することもできる。
【０１１３】
例えば本実施の形態に係る情報管理装置１０Ａ、１０Ｂの２台の間でチャットを行う動作の例を簡単に説明する。なお、サーバ装置２０は上記２台から受信したチャットに係るデータ（以降、これをチャットデータとする）を管理するものとする。
【０１１４】
情報管理装置１０Ａは、当該情報管理装置１０Ａの識別情報及び情報管理装置１０Ｂに送信したいチャットデータを含んだ原稿用紙を読み取り、前述の情報の登録の第二の例で示される動作によりサーバ装置２０に登録する。
【０１１５】
続いて情報管理装置１０Ｂは、サーバ装置２０に登録された情報管理装置１０Ａのチャットデータを前述の情報の印刷出力の例で示される動作により取得し、取得した情報管理装置１０Ａのチャットデータを印刷出力する。なお、チャットデータの記入欄及び当該情報管理装置１０Ｂの識別情報を付与して印刷出力する。情報管理装置１０Ｂのユーザは、印刷出力された用紙のチャットデータの記入欄にデータを書き込み、前述の情報の登録の第二の例で示される動作によりサーバ装置２０に登録する。
【０１１６】
上記の動作を繰り返すことにより、複数の当該情報管理装置１０（ここでは情報管理装置１０Ａ、１０Ｂ）の間で双方向にリアルタイムに画像ベースの会話を行なうチャット機能を実現することもできる。
（第３者の管理情報の表示の例）
図１５は、第３者の管理情報を表示する処理を表した一例のフローチャートである。
【０１１７】
前述では、本実施の形態に係る情報管理システムを用いた各種動作において扱う情報は、サーバ装置２０に管理された管理情報のうち、当該情報管理装置１０により管理が許可された情報として説明を行ってきた。
【０１１８】
ここで扱う情報は、サーバ装置２０に管理された管理情報のうち、当該情報管理装置１０により管理が禁止された第３者の管理情報を例に説明を行う。例えば、サーバ装置２０がブログサーバである場合には、本項において扱う情報は第３者が管理するブログデータである。
【０１１９】
ここでは、図１の情報管理装置１０がサーバ装置２０から予め取得した第３者の管理情報を表示部１３により表示する処理の一例を説明する。なお、サーバ装置２０がブログサーバである場合を例にとって説明を行うがこの場合に限らない。
【０１２０】
まず、表示部１３は、取得した第３者の管理情報の一覧を液晶ディスプレイに表示する（Ｓ６１）。ここでは、サーバ装置２０に管理された第３者のブログデータの一覧を表示する。新着ブログとして、投稿日時の新しいブログデータのみを表示してもよい。また、一行毎にタイトル、ユーザ名（著者名）、投稿日時を表示してもよい。従来技術で実現されることであるので、ここでは詳細な説明を省略する。
【０１２１】
ステップＳ６２へ移って、入力部１１は、閲覧対象の管理情報の選択のために矢印ボタンの押下を入力する（Ｓ６２）。ここではユーザによる矢印ボタン（図２（ｄ）の上(↑)キー或いは下(↓)キー）の押下を入力する。これにより、閲覧対象のブログデータが選択される。さらには、閲覧対象のブログデータが選択されると、ユーザによる矢印ボタン（図２（ｄ）の右(→)キー）の押下を入力する。
【０１２２】
ステップＳ６３へ移って、表示部１１は、閲覧対象の管理情報を表示する（Ｓ６３）。ここでは、ステップＳ６２で選択された閲覧対象のブログデータを液晶ディスプレイに表示する。
【０１２３】
ステップＳ６４へ移って、入力部１１は、閲覧対象の一覧表示の指示のための矢印ボタンの押下を入力する（Ｓ６４）。ここではユーザによる矢印ボタン（図２（ｄ）の左(←)キー）の押下を入力する。これにより、閲覧対象の一覧表示が指示される。矢印ボタン（図２（ｄ）の左(←)キー）の押下を入力すると（Ｓ６４、ＹＥＳ）、ステップＳ６１へ戻る。入力されないと（Ｓ６４、ＮＯ）、ここでは処理を終了する。
【０１２４】
以上で示される処理により、図１の情報管理装置１０がサーバ装置２０から予め取得した第３者の管理情報を表示部１３により表示する処理を行う。
【０１２５】
そのため、以下に掲げる利点を奏する。その利点とは、自分のブログデータだけでなく第３者のブログデータも選択可能にしたので、第３者のブログデータを表示し、さらには印刷出力することができることである。また、第３者のブログデータにコメント（或いはトラックバック）を付与することができる。これによりＰＣを使わず、他者との情報交換、情報交流が可能になる。
【０１２６】
なお、本項で示した動作は第３者の管理情報の表示動作の一例であり、この場合に限らない。例えば第３者のブログデータ一覧をユーザ名（著者名）毎に分けて表示したり、投稿日時毎、恣意的に数で分けて別ページにする方法などが従来のブログサイトにおいて一般的に行われている表示方式を用いてよいものとする。
【０１２７】
以上、実施形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【０１２８】
【図１】本発明の実施の形態に係る情報管理システムの一例を示す模式図である。
【図２】本実施形態に係る情報管理装置の入力部の例を示す図である。
【図３】（ａ）本実施形態に係る情報管理装置のハードウェア構成の一例を示す図である。（ｂ）本実施形態に係るサーバ装置のハードウェア構成の一例を示す図である。
【図４】（ａ）本実施形態に係る情報管理装置の機能の構成の第一の例を示す図である。（ｂ）本実施形態に係るサーバ装置の機能の構成の第一の例を示す図である。
【図５】管理情報の登録処理を表した第一の例のフローチャートである。
【図６】当該情報管理装置で用いられる原稿用紙の一例である。
【図７】当該情報管理装置で用いられる原稿用紙上の情報と管理情報の対応例を示す表の一例である。
【図８】（ａ）本実施形態に係る情報管理装置の機能の構成の第二の例を示す図である。（ｂ）本実施形態に係るサーバ装置の機能の構成の第二の例を示す図である。
【図９】管理情報の取得処理を表した一例のフローチャートである。
【図１０】取得した管理情報を表示する処理を表した一例のフローチャートである。
【図１１】取得した管理情報を表示した表示画面の一例である。
【図１２】取得した管理情報を印刷出力する処理を表した一例のフローチャートである。
【図１３】取得した管理情報を印刷出力した用紙の一例である。
【図１４】管理情報の登録処理を表した第二の例のフローチャートである。
【図１５】第３者の管理情報を表示する処理を表した一例のフローチャートである。
【符号の説明】
【０１２９】
１    情報管理システム
１０    情報管理装置
１１    入力部
１２    読取部
１３    表示部（操作部）
１４    印刷出力部
１５    通信部
１６    制御部
２０    サーバ装置
２１    通信部
２２    制御部
２３    データベース
１１０    画像情報抽出手段
１２０    識別情報保持手段
１３０    管理情報登録手段
１４０    管理情報取得手段
２１０    認証手段
２２０    記憶制御手段
２３０    記憶手段
【図１】
2008234219.tif 000003
【図２】
2008234219.tif 000004
【図３】
2008234219.tif 000005
【図４】
2008234219.tif 000006
【図５】
2008234219.tif 000007
【図６】
2008234219.tif 000008
【図７】
2008234219.tif 000009
【図８】
2008234219.tif 000010
【図９】
2008234219.tif 000011
【図１０】
2008234219.tif 000012
【図１１】
2008234219.tif 000013
【図１２】
2008234219.tif 000014
【図１３】
2008234219.tif 000015
【図１４】
2008234219.tif 000016
【図１５】
2008234219.tif 000017